(57)【要約】【課題】  端末処理作業を容易に行うことができ作業性を向上させることができるとともに、端末処理作業時に光ファイバテープ心線を傷つけるという不具合を低減させることができるスロット型光ケーブルを提供する。【解決手段】  スロット型光ケーブル１は、長手方向に形成されたスロット６を有するスペーサ３の前記スロット６に、光ファイバテープ心線８を樹脂被覆体１０で被覆してなる光ファイバコード７を収容して構成される。【選択図】  図１
2005300698.tif 000002
【特許請求の範囲】
【請求項１】
長手方向に形成されたスロットを有するスペーサの前記スロットに、光ファイバテープ心線を樹脂被覆体で被覆してなる光ファイバコードを収容した
ことを特徴とするスロット型光ケーブル。
【請求項２】
光ファイバテープ心線を複数まとめてケーブル化した光ケーブルであって、
前記光ファイバテープ心線の上に介在を介してシースを施し断面略円形状に形成してなる光ファイバコードを、テンションメンバの外周に複数本撚り合わせ、該撚り合わせた複数本の光ファイバコードの上に外被を施してなる
ことを特徴とする光ケーブル。
【発明の詳細な説明】
【技術分野】
【０００１】
本発明は、光ファイバテープ心線を複数まとめてケーブル化したスロット型光ケーブル及び光ケーブルに関する。
【背景技術】
【０００２】
光ファイバ素線を複数本平行に並べその上に樹脂を一括被覆してなる光ファイバテープ心線を複数まとめてケーブル化した光ケーブルとして、スロット型光ケーブルが知られている。このスロット型光ケーブルは、中心部にテンションメンバを有する樹脂製のスペーサに、複数のスロットを長手方向に形成し、該スロット内に前記光ファイバ心線を収容してその上に押さえ巻きテープを施し、さらにその上に外被を施して構成されている（例えば、特許文献１参照。）。
【０００３】
このように構成されたスロット型光ケーブルにおいては、各光ファイバテープ心線を分岐して種々の機器類に接続するため、次のような端末処理を行うことが知られている（例えば、特許文献２参照。）。
【０００４】
すなわち、先ず、前記外被及び押さえ巻きテープを剥いて、スペーサのスロット内に収容されている光ファイバテープ心線を取り出す。そして、取り出した光ファイバテープ心線を保護被覆するため、各光ファイバテープ心線にチューブ状の樹脂被覆体を被覆して光ファイバコードを形成し、該光ファイバコードの先端にコネクタを接続するとともに、光ファイバテープ心線を取り出した基端部分であるスロット型光ケーブルの端部に、保護のための円筒状の成端部材を被せ、該成端部材の中空部に樹脂を充填して成端部を形成する。
【特許文献１】特開２００２−２０２４４４号公報（第３頁、第１図）
【特許文献２】特開平９−１５９８９０号公報（第２頁、第１−２図）
【発明の開示】
【発明が解決しようとする課題】
【０００５】
しかしながら、このような端末処理作業を行うのは煩雑であり、また、スペーサのスロット内から取り出した保護被覆を行う前の光ファイバテープ心線は、上記のような端末処理作業を行う際に傷つき易い。そして、このように光ファイバテープ心線は傷付き易いことから、作業者は傷を付けないよう注意を払って作業を行う必要がある。
【０００６】
さらに、前記円筒状の成端部材を被せ該成端部材の中空部に樹脂を充填した後に、光ファイバテープ心線を傷つけてしまった場合、その端末処理部分は用いることができなくなり、再度新たに前記成端部材を被せてその中空部に樹脂を充填して端末処理を行わなければならず、作業効率が悪い。
【０００７】
また、成端部材の外径は、スロット型光ケーブルの外径に比べて大きなものとなっており、端末処理部分の外径が大きくなってしまうことから、ケーブル配線時の取り回し効率が良好ではない。
【０００８】
本発明の目的は、端末処理作業を容易に行うことができ作業性を向上させることができるとともに、端末処理作業時に光ファイバテープ心線を傷つけるという不具合を低減させることができるスロット型光ケーブル及び光ケーブルを提供することにある。
【課題を解決するための手段】
【０００９】
上記課題を解決するために、請求項１に記載の発明は、長手方向に形成されたスロットを有するスペーサの前記スロットに、光ファイバテープ心線を樹脂被覆体で被覆してなる光ファイバコードを収容したことを特徴とする。
【００１０】
請求項２に記載の発明は、光ファイバテープ心線を複数まとめてケーブル化した光ケーブルであって、前記光ファイバテープ心線の上に介在を介してシースを施し断面略円形状に形成してなる光ファイバコードを、テンションメンバの外周に複数本撚り合わせ、該撚り合わせた複数本の光ファイバコードの上に外被を施してなることを特徴とする。
【発明の効果】
【００１１】
請求項１に記載の発明によれば、前記スロット内には、光ファイバテープ心線を樹脂被覆体で被覆してなる光ファイバコードが収容され、光ファイバテープ心線は樹脂被覆体によって保護されている。したがって、スロット型光ケーブルの端末処理作業は、スロットから光ファイバコードを取り出すだけで行うことが可能であり、新たに樹脂被覆体を被覆したり、光ファイバコードを取り出した基端部分であるスロット型光ケーブルの端部に、保護のための成端部材を被せるたりする必要もない。したがって、端末処理作業を容易に行うことができその作業性を向上させることができる。また、成端部材を使用しないことから、部材数を削減することができ、端末処理部の外径が大きくなってしまうこともない。
【００１２】
また、前記スペーサのスロット内に収容されている光ファイバテープ心線は、樹脂被覆体で被覆されていることから、前記端末処理作業を行う際に、傷付きにくい。
【００１３】
請求項２に記載の発明によれば、光ケーブルの端末処理作業は、前記外被を剥き、テンションメンバの外周に集合撚りされている光ファイバコードの撚りを解くことにより行う。このとき、光ファイバコードは光ファイバテープ心線の上に介在を介してシースを施して形成されているので、光ファイバテープ心線は保護された状態となっており、端末処理作業時に、光ファイバテープ心線に新たに樹脂被覆体を被覆したり、光ファイバコードの撚りを解いた基端部分であるケーブル端部に保護のための成端部材を被せる必要もない。したがって、光ケーブルの端末処理作業は、外被を剥いて光ファイバコードの撚りを解くだけで行うことができることから、端末処理作業を容易に行うことができ作業性を向上させることができる。そして、成端部材を使用しないことから、部材数を削減することができ、端末処理部の外径が大きくなってしまうこともない。
【００１４】
さらに、ケーブル化された光ファイバコードは、その撚りを解くことにより、１本ずつ多方向へ容易に分岐することが可能である。
【００１５】
また、光ファイバテープ心線は、その上に介在を介してシースを施して形成した光ファイバコードの状態でケーブル化されていることから、光ケーブルの端末処理作業を行う際に、前記光ファイバテープ心線が傷付きにくい。
【発明を実施するための最良の形態】
【００１６】
以下、図面を参照して本発明に係るスロット型光ケーブル及び光ケーブルの実施の形態の一例について詳細に説明する。  
先ず、本発明に係るスロット型光ケーブルの実施の形態の一例について説明する。  
図１は本発明に係るスロット型光ケーブルの実施の形態の一例を示す断面図、図２は図１に示すスロット型光ケーブルの斜視図である。
【００１７】
図において、符号１は、光ファイバテープ心線（後述の符号８）を複数まとめてケーブル化したスロット型光ケーブルを示しており、このスロット型光ケーブル１は、中心部にテンションメンバ２を有するスペーサ３を備え、スペーサ３の上に押さえ巻きテープ４が施され、さらにその上に外被５が施されている。
【００１８】
前記テンションメンバ２は、鋼線又は鋼より線などで構成され、また、前記スペーサ３は、ポリエチレン、ポリ塩化ビニルなどの合成樹脂で構成されている。スペーサ３には、その長手方向に断面略矩形状のスロット６が形成されている。このスロット６は、本例では周方向に等間隔で５本形成されていて、各スロット６には、複数の光ファイバコード７が積層されて収容されている。なお、図においては、光ファイバコード７は、１つのスロット６にのみ図示されており、他の４つのスロット６内に収容された光ファイバコード７は図示省略されている。
【００１９】
光ファイバコード７の構成について詳しく説明すると、この光ファイバコード７は、光ファイバテープ心線８と、この光ファイバテープ心線８の上に芳香族ポリアミド等の繊維の介在９を介して被覆された樹脂被覆体１０とで構成されている。
【００２０】
前記光ファイバテープ心線８は、光ファイバ素線１１を複数本平行に並べその上に樹脂１２を一括被覆して構成されている。前記光ファイバ素線１１は、その詳しい構成は図示省略されているが、コアとクラッドよりなる裸光ファイバに樹脂を被覆して構成されている。
【００２１】
光ファイバテープ心線８の上に被覆されている樹脂被覆体１０は、ポリエチレン、ポリ塩化ビニルなどの合成樹脂で構成され、光ファイバテープ心線８の上に押し出し被覆することにより形成されている。
【００２２】
符号１３は、外被５を引き裂くための引き裂き紐である。なお、図示しないが、スペーサ３には、各スロット６を識別するためのトレーサマークを施してもよい。
【００２３】
以上のように構成されるスロット型光ケーブル１は、スペーサ３に形成された各スロット６内に、所要数の光ファイバコード７を落とし込んでスロット６内に積層状態とした後、スペーサ３の外周に押さえ巻きテープ４を巻回し、さらにその押さえ巻きテープ４の上に外被５を被覆することにより、製造される。
【００２４】
スロット型光ケーブル１のスロット６内に収容されている光ファイバコード７に機器類を接続するための端末処理作業をするにあたっては、先ず、引き裂き紐１３で外被５を引き裂いて該外被５を剥いた後、押さえ巻きテープ４を剥く。そして、スロット６内の光ファイバコード７を取り出し、取り出した光ファイバコード７の端末にコネクタを接続する。
【００２５】
以上説明したスロット型光ケーブル１によれば、スペーサ３に形成されたスロット６内には、光ファイバテープ心線８を樹脂被覆体１０で被覆してなる光ファイバコード７が収容され、光ファイバテープ心線８は、樹脂被覆体１０によって保護されている。このようなことから、スロット型光ケーブル１の端末処理作業は、スロット６内から光ファイバコード７を取り出すだけで行うことが可能であり、端末処理作業時に光ファイバテープ心線８に新たに樹脂被覆体を被覆したり、光ファイバコード７を取り出した基端部分であるスロット型光ケーブル１の端部に、保護のための成端部材を被せる必要はない。したがって、端末処理作業を容易に行うことができその作業性を向上させることができる。また、成端部材を使用しないことから、部材数を削減することができ、端末処理部の外径が大きくなってしまうこともない。
【００２６】
また、スペーサ３のスロット６内に収容されている光ファイバテープ心線８は、樹脂被覆体１０で被覆されていることから、前記端末処理作業を行う際に、傷付きにくい。
【００２７】
次に、本発明に係る光ケーブルの実施の形態の一例について説明する。  
図３は本発明に係る光ケーブルの実施の形態の一例を示す断面図、図４は図３に示す光ケーブルの斜視図である。
【００２８】
図において、符号２０は、光ファイバテープ心線（後述の符号２５）を複数まとめてケーブル化した光ケーブルを示しており、この光ケーブル２０は、中心部にテンションメンバ２１を有し、このテンションメンバ２１の外周に、光ファイバコード２２が複数本撚り合わされている。そして、テンションメンバ２１の外周に撚り合わされた複数本の光ファイバコード２２の上に押さえ巻きテープ２３が施され、更にその上に外被２４が施されている。
【００２９】
前記テンションメンバ２１は、鋼線又は鋼撚線などの上にポリエチレンの樹脂が被覆されてなり、また、前記光ファイバコード２２は、光ファイバテープ心線２５の上に介在２６を介してシース２７を施して構成されている。
【００３０】
前記光ファイバテープ心線２５は、前記スロット型光ケーブル１における光ファイバテープ心線８と同様の構成となっており、光ファイバ素線２８を複数本平行に並べその上に樹脂２９を一括被覆して構成されている。また、前記介在２６は、芳香族ポリアミドなどの繊維で形成され、かかる介在２６の上のシース２７は、ポリエチレンやポリ塩化ビニルなどの合成樹脂で構成されている。
【００３１】
以上のように構成される光ケーブル２０は、テンションメンバ２１の外周に複数本の光ファイバコード２２を撚り合わせ、撚り合わせた複数本の光ファイバコード２２の上に押さえ巻きテープ２３を巻回し、さらにこの押さえ巻きテープ２３の上に外被２４を被覆することにより製造される。
【００３２】
光ケーブル２０の光ファイバコード２２に機器類を接続するための端末処理作業をするにあたっては、先ず、外被２４及び押さえ巻きテープ２３を剥く。そして、テンションメンバ２１の外周に撚り合わされている複数本の光ファイバコード２２の撚りを解き、この光ファイバコード２２の端末にコネクタを接続する。
【００３３】
以上説明した光ケーブル２０によれば、前記光ファイバコード２２は光ファイバテープ心線２５の上に介在２６を介してシース２７を施して形成され、光ファイバテープ心線２５は被覆が施されて保護された状態となっているので、端末処理作業の際に、光ファイバテープ心線２５に、新たに樹脂被覆体を被覆したり、光ファイバコード２２の撚りを解いた基端部分である光ケーブル２０の端部に保護のための成端部材を被せる必要もない。したがって、光ケーブル２０の端末処理作業は、外被２４を剥いて光ファイバコード２２の撚りを解くだけで行うことができることから、端末処理作業を容易に行うことができ作業性を向上させることができる。そして、成端部材を使用しないことから、部材数を削減することができ、端末処理部の外径が大きくなってしまうこともない。
【００３４】
さらに、ケーブル化された光ファイバコード２２は、その撚りを解くことにより、１本ずつ多方向へ容易に分岐することが可能である。
【００３５】
また、光ファイバテープ心線２５は、その上に介在２６を介してシース２７を施して形成した光ファイバコード２２の状態でケーブル化されていることから、光ケーブル２０の端末処理作業を行う際に、前記光ファイバテープ心線２５が傷付きにくい。
【図面の簡単な説明】
【００３６】
【図１】本発明に係るスロット型光ケーブルの実施の形態の一例を示す断面図。
【図２】図１に示すスロット型光ケーブルの斜視図。
【図３】本発明に係る光ケーブルの実施の形態の一例を示す断面図。
【図４】図３に示す光ケーブルの斜視図。
【符号の説明】
【００３７】
１      スロット型光ケーブル
３      スペーサ
６      スロット
７      光ファイバコード
８      光ファイバテープ心線
１０    樹脂被覆体
２０    光ケーブル
２１    テンションメンバ
２２    光ファイバコード
２４    外被
２５    光ファイバテープ心線
２６    介在
２７    シース
【図１】
2005300698.tif 000003
【図２】
2005300698.tif 000004
【図３】
2005300698.tif 000005
【図４】
2005300698.tif 000006